(57)【特許請求の範囲】
【請求項１】
複数の錠剤を一括に収容可能な容器本体を形成する上ケース及び下ケースを備え、
前記上ケースが前記下ケースに対して摺動移動することで、容器本体が開閉するように設けられ、
前記下ケースには、同時には１個ずつのみ前記錠剤を取り出し可能な大きさで取出口が形成されると共に、当該取出口に連通する前記容器本体内の位置に取出待機部が形成され、
前記上ケースには、前記容器本体閉鎖時の状態において、前記取出口よりも前記容器本体内側の前記取出待機部に垂れ下がる係止突起が設けられ、
前記下ケースには、前記容器本体閉鎖時の状態における前記取出待機部の前記係止突起に対して反対の側に位置し、前記上ケースの開放動作に伴う前記係止突起から前記錠剤への押圧力に対抗して、前記取出待機部に位置する前記錠剤の位置を保持するプッシャ部材が設けられ、
前記容器本体の閉鎖時は、前記係止突起により、前記錠剤が、前記取出口へ移動ぜず前記容器本体側へは移動自在に、前記取出待機部の前記容器本体内側に保持され、
前記上ケースの開放動作の際に、前記係止突起は、当該上ケースまたは当該係止突起の撓み変形によって、前記取出待機部に位置する前記錠剤の上面または側面を乗り越えて前記下ケースの前記容器本体内側に移動し、前記錠剤が前記取出口に移動可能になると共に、前記取出待機部に位置していた前記錠剤に後続する他の錠剤の前記取出口側の面を前記係止突起が係止することを特徴とする錠剤取出容器。
【請求項２】
前記下ケースには、前記プッシャ部材を迂回して前記取出待機部まで錠剤を案内するための錠剤案内レールが形成されていることを特徴とする請求項１に記載の錠剤取出容器。
【請求項３】
前記上ケース及び前記下ケースは、平面視で長方形の形状を有しており、
前記上ケースは、前記下ケースに対して、前記長方形の形状の長手方向に摺動移動可能に設けられ、
前記取出口は、前記長方形の形状の角部近傍に形成されている請求項１に記載の錠剤取出容器。
【請求項４】
前記上ケース及び前記下ケースは、平面視で、円形ないし楕円形の形状を有しており、
前記取出口は、前記上ケースと前記下ケースとの摺動方向の端部に形成されていることを特徴とする請求項１に記載の錠剤取出容器。
【請求項５】
前記係止突起は、前記上ケース及び前記下ケースの摺動方向に延びる中心線に対して対称な２カ所に設けられていることを特徴とする請求項４に記載の錠剤取出容器。
【請求項６】
前記プッシャ部材は、前記上ケース及び前記下ケースの摺動方向に延びる中心線上に設けられている請求項５に記載の錠剤取出容器。
【発明の詳細な説明】
【技術分野】
【０００１】
本発明は、複数の錠剤を一括に収容可能な錠剤容器に関する。
【背景技術】
【０００２】
医薬品やサプリメント剤として、各種の錠剤（本明細書においてはカプセル剤も含む表現である）が利用されている。錠剤タイプのお菓子も、種々販売されている。
【０００３】
経口用途以外でも、様々な日用品として、あるいは、工業用の部品として、種々の錠剤が使われている。
【０００４】
錠剤を所望の個数だけ取り出すことができる錠剤取出容器は、種々のタイプのものが開発されている。例えば、特開２００５−１５００６には、仕切板とストッパー部材とによって錠剤を所望の個数だけ取り出すことができるように構成された定数量錠剤取り出し容器が開示されている。
【先行技術文献】
【特許文献】
【０００５】
【特許文献１】特開２００５−１５００６
【発明の概要】
【発明が解決しようとする課題】
【０００６】
しかしながら、特開２００５−１５００６に開示された定数量錠剤取り出し容器によれば、構造原理的にケースの側面から錠剤を取り出すという態様を採用することができず、錠剤を容器の上面から取り出さなければならない。このことは、利用者にとって、利便性がよろしくない。
【０００７】
本発明は、以上のような状況に鑑みて創案されたものである。本発明の目的は、ケースの側面から錠剤を取り出すことができるタイプの錠剤取出装置であって、錠剤を確実に１個ずつ取り出すことができるような錠剤取出容器を提供することである。
【課題を解決するための手段】
【０００８】
本発明は、複数の錠剤を一括に収容可能な容器本体を形成する上ケース及び下ケースを備え、前記上ケースが前記下ケースに対して摺動移動することで、容器本体が開閉するように設けられ、前記下ケースには、同時には１個ずつのみ前記錠剤を取り出し可能な大きさで取出口が形成されると共に、当該取出口に連通する前記容器本体内の位置に取出待機部が形成され、前記上ケースには、前記容器本体閉鎖時の状態において、前記取出口よりも前記容器本体内側の前記取出待機部に垂れ下がる係止突起が設けられ、前記下ケースには、前記容器本体閉鎖時の状態における前記取出待機部の前記係止突起に対して反対の側に位置し、前記上ケースの開放動作に伴う前記係止突起から前記錠剤への押圧力に対抗して、前記取出待機部に位置する前記錠剤の位置を保持するプッシャ部材が設けられ、前記容器本体の閉鎖時は、前記係止突起により、前記錠剤が、前記取出口へ移動ぜず前記容器本体側へは移動自在に、前記取出待機部の前記容器本体内側に保持され、前記上ケースの開放動作の際に、前記係止突起は、当該上ケースまたは当該係止突起の撓み変形によって、前記取出待機部に位置する前記錠剤の上面または側面を乗り越えて前記下ケースの前記容器本体内側に移動し、前記錠剤が前記取出口に移動可能になると共に、前記取出待機部に位置していた前記錠剤に後続する他の錠剤の前記取出口側の面を前記係止突起が係止する錠剤取出容器である。
【０００９】
本発明によれば、上ケースの開放動作の際に、当該上ケースまたは当該係止突起の撓み変形によって、前記係止突起が前記取出待機部に位置する錠剤の上面または側面を乗り越えると共に、取出待機部に位置していた錠剤に後続する錠剤の取出口側の面を係止するが、前記プッシャ部材が前記取出待機部に位置していた錠剤を取出口に向けて押圧していたために、当該押圧力によって当該取出待機部に位置していた錠剤が１個だけ取出口から取り出されることとなる。このような錠剤取出原理によれば、ケースの側面に取出口を形成することができ、すなわち、ケースの側面から錠剤を取り出すことができ、利用者の利便性という点で顕著に優れる。
【００１０】
好ましくは、前記上ケース及び前記下ケースは、平面視で長方形の形状を有しており、前記上ケースは、前記下ケースに対して、前記長方形の形状の長手方向に摺動移動するようになっており、前記取出口は、前記長方形の形状の角部近傍に形成されている。このような形態は、錠剤取出容器として一般的であり、利用者の利便性という点で好適である。更にこの場合、前記下ケースに、前記プッシャ部材を迂回して前記取出待機部まで錠剤を案内するための錠剤案内レールが形成されていることが好ましい。そのような態様が採用される場合、錠剤の容器本体内での円滑な案内が促されるため、容器本体を振る等して錠剤の移動を調整する作業（手間）が軽減できる。
【００１１】
あるいは、好ましくは、前記上ケース及び前記下ケースは、平面視で、円形ないし楕円形の形状を有しており、前記取出口は、前記上ケースと前記下ケースとの摺動方向の端部に形成されている。このような形態も、錠剤取出容器として一般的であり、利用者の利便性という点で好適である。
【００１２】
更にこの場合、前記係止突起は、前記上ケース及び前記下ケースの摺動方向に延びる中心線に対して対称な２カ所に設けられていることが好ましい。そのような態様が採用される場合、当該係止突起がバランス良く錠剤の係止機能ないし係止解除機能を発揮するため、錠剤の１個ずつの取出動作を安定的に実現することができる。更にこの場合、前記プッシャ部材が、前記上ケース及び前記下ケースの摺動方向に延びる中心線上に設けられていることが好ましい。そのような態様が採用される場合、当該プッシャ部材がバランス良く錠剤の押圧機能を発揮するため、錠剤の１個ずつの取出動作を更に安定的に実現することができる。
【００１３】
あるいは、前記プッシャ部材の方が、前記上ケース及び前記下ケースの摺動方向に延びる中心線に対して対称な２カ所に設けられていても、好ましい。そのような態様が採用される場合、前記係止突起の方が、前記上ケース及び前記下ケースの摺動方向に延びる中心線上に設けられていることが好ましい。そのような態様が採用される場合でも、プッシャ部材がバランス良く錠剤の押圧機能を発揮し、且つ、係止突起がバランス良く錠剤の係止機能ないし係止解除機能を発揮するため、錠剤の１個ずつの取出動作を更に安定的に実現することができる。
【００１４】
また、好ましくは、前記下ケースには、上ケース側に立ち上がるリブが摺動方向に延びるように形成されている。あるいは、好ましくは、前記上ケースには、下ケース側に垂れ下がるリブが摺動方向に延びるように形成されている。これらの場合、上ケースが過剰に撓んで変形してしまうことが効果的に防止される。このため、容器寿命を長くすることができる。リブの代わりに、リブと同様の機能を発揮するような、複数の不連続の突起部（ボス）が設けられてもよい。
【００１５】
また、好ましくは、前記上ケースには、下ケース側に垂れ下がるストッパが形成されている。この場合、上ケースが下ケースから過度にスライドしてしまって内部の錠剤が散乱してしまう、という事態を防止できる。
【発明の効果】
【００１６】
本発明によれば、上ケースの開放動作の際に、当該上ケースまたは当該係止突起の撓み変形によって、前記係止突起が前記取出待機部に位置する錠剤の上面または側面を乗り越えると共に、取出待機部に位置していた錠剤に後続する錠剤の取出口側の面を係止するが、前記プッシャ部材が前記取出待機部に位置していた錠剤を取出口に向けて押圧していたために、当該押圧力によって当該取出待機部に位置していた錠剤が１個だけ取出口から取り出されることとなる。このような錠剤取出原理によれば、ケースの側面に取出口を形成することができ、すなわち、ケースの側面から錠剤を取り出すことができ、利用者の利便性という点で顕著に優れる。
【図面の簡単な説明】
【００１７】
【図１】本発明の第１の実施の形態の錠剤取出容器の閉鎖状態を示す概略斜視図である。
【図２】図１の錠剤取出容器の開放状態を示す概略斜視図である。
【図３】図１の錠剤取出容器の上ケースを示す概略斜視図である。
【図４】図１の錠剤取出容器の下ケースを示す概略斜視図である。
【図５】図１の錠剤取出容器の係止突起が錠剤の上面を乗り越える様子を平面視で示す図である。
【図６】本発明の第２の実施の形態の錠剤取出容器の閉鎖状態を示す概略斜視図である。
【図７】図６の錠剤取出容器の開放状態を示す概略斜視図である。
【図８】図６の錠剤取出容器の上ケースを示す概略斜視図である。
【図９】図６の錠剤取出容器の下ケースを示す概略斜視図である。
【図１０】図６の錠剤取出容器の係止突起が錠剤の側面を乗り越える様子を平面視で示す図である。
【図１１】本発明の第３の実施の形態の錠剤取出容器の閉鎖状態を示す概略斜視図である。
【図１２】図１１の錠剤取出容器の開放状態を示す概略斜視図である。
【図１３】図１１の錠剤取出容器の上ケースを示す概略斜視図である。
【図１４】図１１の錠剤取出容器の下ケースを示す概略斜視図である。
【図１５】図１１の錠剤取出容器の係止突起が錠剤の上面を乗り越える様子を平面視で示す図である。
【図１６】図１１の錠剤取出容器の変形例の閉鎖状態を示す概略斜視図である。
【図１７】図１６の錠剤取出容器の開放状態を示す概略斜視図である。
【発明を実施するための形態】
【００１８】
以下に、添付の図面を参照して、本発明の実施の形態を詳細に説明する。
【００１９】
図１は、本発明の第１の実施の形態の錠剤取出容器の閉鎖状態を示す概略斜視図であり、図２は、図１の錠剤取出容器の開放状態を示す概略斜視図である。図１及び図２に示すように、本実施の形態の錠剤取出容器１０は、互いにスライドする上ケース１１と下ケース１２とを備えている。当該上ケース１１及び下ケース１２が、複数の錠剤を一括に収容可能な容器本体を形成している。そして、上ケース１１が下ケース１２に対して摺動移動することで、容器本体が開閉するようになっている。
【００２０】
具体的には、図２に示すように、上ケース１１が下ケース１２に対して少しスライド移動した状態で、錠剤取り出しのための取出口１３が露出するようになっている。取出口１３は、同時には１個ずつのみ錠剤を取出可能な大きさで形成されている。
【００２１】
本実施の形態では、取出口１３に連通する部位が取出待機部１５として機能するようになっている。すなわち、下ケース１２には、取出口１３に連通する取出待機部１５が形成されている。そして、上ケース１１に、容器本体閉鎖時の状態における取出口１３と取出待機部１５との間に垂れ下がる係止突起２３が設けられている。
【００２２】
本実施の形態の係止突起２３は、下端部（先端部）がドーム状に成形された（角丸めされた）短い円筒形状を有している。そして、上ケース１１の開放動作の際に、当該上ケース１１の撓み変形によって、取出待機部１５に位置する錠剤の上面を乗り越えると共に、取出待機部１５に位置していた錠剤に後続する錠剤の取出口側の面を係止するようになっている。換言すれば、上ケース１１はそのような変形性能（弾性）を有している（後述する図５参照）。
【００２３】
一方、下ケース１２には、容器本体閉鎖時の状態における取出待機部１５の係止突起２３に対して反対の側に、上ケース１１の開放動作の際に取出待機部１５に位置する錠剤を取出口１３に向けて押圧するためのプッシャ部材２５が設けられている。説明を補足すれば、上ケース１１の開放動作の際、取出待機部１５に位置する錠剤は最初、係止突起２３によって取出口１３から遠ざかる方向に押圧されるが、その押圧力に対抗するように、すなわち、取出待機部１５に位置する錠剤を取出口１３に向けて押圧し返すために、プッシャ部材２５が設けられている。
【００２４】
本実施の形態のプッシャ部材２５は、直線壁状に形成されており、その一端側は下ケース１２の側壁に固定され、その他端側が錠剤を押圧するようになっている。
【００２５】
形状について言及すれば、図１及び図２から明らかな通り、本実施の形態では、上ケース１１及び下ケース１２は平面視で長方形の形状を有している。上ケース１１は、下ケース１２に対して、当該長方形の形状の長手方向に摺動移動するようになっており、取出口１３は、当該長方形の形状の角部近傍に形成されている。
【００２６】
また、本実施の形態では、下ケース１２に、プッシャ部材２５を迂回して取出待機部１５まで錠剤を案内するための錠剤案内レール２４が形成されている。本実施の形態では、プッシャ部材２５自体も、取出待機部１５まで錠剤を案内する案内レールとしての機能を有している。
【００２７】
その他、下ケース１２には、上ケース１１側に立ち上がるリブ２７が摺動方向に延びるように形成されている。また、上ケース１１には、下ケース１２側に垂れ下がるストッパ３７が形成されている。
【００２８】
参考のため、本実施の形態の錠剤取出容器１０の上ケース１１の概略斜視図を図３に示し、本実施の形態の錠剤取出容器１０の下ケース１２の概略斜視図を図４に示しておく。
【００２９】
次に、本実施の形態の錠剤取出容器１０の作用について説明する。
【００３０】
本実施の形態の錠剤取出容器１０は、図１及び図２に示すように扁平で嵩張らないので、携帯性に優れる。
【００３１】
ここで、錠剤取出容器１０から１個ずつ錠剤を取り出すために、下ケース１２の取出口１３が下側となるような姿勢で錠剤取出容器１０が把持される。この際、錠剤案内レール２４とプッシャ部材２５による錠剤案内機能により、１個の錠剤が取出待機部１５に至り、後続の１個の錠剤がそれに続く（図１参照）。図１及び図２においては、理解の容易のため、それら２個の錠剤のみが図示されている。取出待機部１５に至った錠剤は、係止突起２３によって係止される（図１参照）。
【００３２】
次に、上ケース１１の開放動作が実施される。すなわち、上ケース１１が下ケース１２に対して少しスライド移動される（図２参照）。その際、取出待機部１５に位置していた錠剤が、係止突起２３によって取出口１３から遠ざかる方向に押圧される。しかし、その押圧力に対抗するように、すなわち、取出待機部１５に位置する錠剤を取出口１３に向けて押圧し返すために、プッシャ部材２５が設けられている。このため、取出待機部１５に位置していた錠剤は、しばらくは動かない。
【００３３】
代わりに、上ケース１１の方がその変形性能によって撓んで、当該上ケース１１に設けられている係止突起２３が取出待機部１５に位置していた錠剤の上面を乗り越えようとする。そして、係止突起２３が取出待機部１５に位置していた錠剤の取出口１３側の端面から外れた瞬間、すなわち、当該錠剤の係止機能を解除した瞬間、プッシャ部材２５による押圧力によって当該錠剤は取出口１３に向けて飛び出すように移動する。一方、係止突起２３は、取出待機部１５に位置していた錠剤に後続する錠剤の取出口側の面を係止する。この状態が図２の状態である。
【００３４】
参考のため、図５（ａ）乃至図５（ｃ）に、図１の錠剤取出容器の係止突起２３が錠剤の上面を乗り越える様子を平面視で示しておく。
【００３５】
その後、利用者は、上ケース１１の下ケース１２に対するスライド移動状態を、元に戻す（図１参照）。
【００３６】
以上の通り、利用者は、（１）取出口１３が下側となるような姿勢で錠剤取出容器１０を把持して、（２）上ケース１１をスライド移動させる、という動作を行うだけで、錠剤を正しく１個だけ取り出すことができる。
【００３７】
特に、本実施の形態によれば、下ケース１２の側面に取出口１３が形成されているため、錠剤取出容器１０の側面から錠剤を取り出すことができ、利用者の利便性という点で顕著に優れる。
【００３８】
また、本実施の形態によれば、上ケース１１及び下ケース１２が平面視で長方形の形状を有しており、上ケース１１は下ケース１２に対して当該長方形の形状の長手方向に摺動移動するようになっており、取出口１３は当該長方形の形状の角部近傍に形成されているため、錠剤取出容器として一般的な形状であって、利用者の利便性という点で好適である。
【００３９】
更に、本実施の形態によれば、下ケース１２にプッシャ部材２５を迂回して取出待機部１５まで錠剤を案内するための錠剤案内レール２４が形成されているため、錠剤の容器本体内での円滑な案内が促される。このため、容器本体を振る等して錠剤の移動を調整する作業（手間）が軽減できる。
【００４０】
更に、本実施の形態によれば、プッシャ部材２５自体が錠剤を案内する機能を併せ持っているため、錠剤の容器本体内での円滑な案内が更に促される。
【００４１】
また、本実施の形態によれば、下ケース１１に上ケース１２側に立ち上がるリブ２７が摺動方向に延びるように形成されているため、上ケース１１が過剰に撓んで変形してしまうことが効果的に防止される。このため、容器寿命を長くすることができる。
【００４２】
また、本実施の形態によれば、上ケース１１に下ケース１２側に垂れ下がるストッパ３７が形成されているため、上ケースが下ケースから過度にスライドしてしまって内部の錠剤が散乱してしまう、という事態を防止できる。
【００４３】
次に、図６は、本発明の第２の実施の形態の錠剤取出容器の閉鎖状態を示す概略斜視図であり、図７は、図６の錠剤取出容器の開放状態を示す概略斜視図である。図６及び図７に示すように、本実施の形態の錠剤取出容器２１０も、互いにスライドする上ケース２１１と下ケース１２とを備えている。
【００４４】
また、本実施の形態においても、第１の実施の形態と同様に、取出口１３に連通する部位が取出待機部１５として機能するようになっている。すなわち、下ケース１２には、取出口１３に連通する取出待機部１５が形成されている。そして、上ケース２１１に、容器本体閉鎖時の状態における取出口１３と取出待機部１５との間に垂れ下がる係止突起２２３が設けられている。
【００４５】
ここで、本実施の形態の係止突起２２３は、上ケース１１から垂れ下がる断面長円状の筒部２２３ｃと、当該筒部から前記取出待機部１５に向けて延びる断面曲線状の可動係止部２２３ｍと、を有している。そして、上ケース１１の開放動作の際に、当該可動係止部２２３ｍの撓み変形によって、取出待機部１５に位置する錠剤の側面を乗り越えると共に、取出待機部１５に位置していた錠剤に後続する錠剤の取出口側の面を係止するようになっている。換言すれば、係止突起２２３の可動係止部２２３ｍはそのような変形性能（弾性）を有している。
【００４６】
本実施の形態のその他の構成は、第１の実施の形態と同様である。従って、本実施の形態において、第１の実施の形態と同一の構成部材には同一の符号を付して、その詳細な説明は省略する。
【００４７】
参考のため、本実施の形態の錠剤取出容器２１０の上ケース２１１の概略斜視図を図９に示し、本実施の形態の錠剤取出容器２１０の下ケース１２の概略斜視図を図１１に示しておく。
【００４８】
次に、本実施の形態の錠剤取出容器２１０の作用について説明する。
【００４９】
第１の実施の形態と同様に、錠剤取出容器２１０から１個ずつ錠剤が取り出される際に、下ケース１２の取出口１３が下側となるような姿勢で錠剤取出容器１０が把持される。この際、錠剤案内レール２４とプッシャ部材２５による錠剤案内機能により、１個の錠剤が取出待機部１５に至り、後続の１個の錠剤がそれに続く（図６参照）。図６及び図７においては、理解の容易のため、それら２個の錠剤のみが図示されている。取出待機部１５に至った錠剤は、係止突起２２３によって係止される（図６参照）。
【００５０】
次に、上ケース２１１の開放動作が実施される。すなわち、上ケース２１１が下ケース１２に対して少しスライド移動される（図７参照）。その際、取出待機部１５に位置していた錠剤が、係止突起２２３の可動係止部２２３ｍによって取出口１３から遠ざかる方向に押圧される。しかし、その押圧力に対抗するように、すなわち、取出待機部１５に位置する錠剤を取出口１３に向けて押圧し返すために、プッシャ部材２５が設けられている。このため、取出待機部１５に位置していた錠剤は、しばらくは動かない。
【００５１】
代わりに、係止突起２２３の可動係止部２２３ｍの方がその変形性能によって撓んで、取出待機部１５に位置していた錠剤の側面を乗り越えようとする。そして、係止突起２３の可動係止部２２３ｍが取出待機部１５に位置していた錠剤の取出口１３側の側面から外れた瞬間、すなわち、当該錠剤の係止機能を解除した瞬間、プッシャ部材２５による押圧力によって当該錠剤は取出口１３に向けて飛び出すように移動する。一方、係止突起２２３の可動係止部２２３ｍは、取出待機部１５に位置していた錠剤に後続する錠剤の取出口側の面を係止する。この状態が図７の状態である。
【００５２】
参考のため、図１０（ａ）乃至図１０（ｃ）に、図６の錠剤取出容器の係止突起２２３が錠剤の側面を乗り越える様子を平面視で示しておく。
【００５３】
その後、利用者は、上ケース１１の下ケース１２に対するスライド移動状態を、元に戻す（図６参照）。
【００５４】
以上の通り、本実施の形態によっても、第１の実施の形態と略同様の作用効果を得ることができる。すなわち、利用者は、（１）取出口１３が下側となるような姿勢で錠剤取出容器２１０を把持して、（２）上ケース２１１をスライド移動させる、という動作を行うだけで、錠剤を正しく１個だけ取り出すことができる。特に、下ケース１２の側面に取出口１３が形成されているため、錠剤取出容器２１０の側面から錠剤を取り出すことができ、利用者の利便性という点で顕著に優れる。
【００５５】
また、本実施の形態によっても、上ケース２１１及び下ケース１２が平面視で長方形の形状を有しており、上ケース２１１は下ケース１２に対して当該長方形の形状の長手方向に摺動移動するようになっており、取出口１３は当該長方形の形状の角部近傍に形成されているため、錠剤取出容器として一般的な形状であって、利用者の利便性という点で好適である。
【００５６】
更に、本実施の形態によっても、下ケース１２にプッシャ部材２５を迂回して取出待機部１５まで錠剤を案内するための錠剤案内レール２４が形成されているため、錠剤の容器本体内での円滑な案内が促される。このため、容器本体を振る等して錠剤の移動を調整する作業（手間）が軽減できる。
【００５７】
更に、本実施の形態によっても、プッシャ部材２５自体が錠剤を案内する機能を併せ持っているため、錠剤の容器本体内での円滑な案内が更に促される。
【００５８】
また、本実施の形態によっても、下ケース１２に上ケース２１１側に垂れ下がるリブ２７が摺動方向に延びるように形成されているため、上ケース２１１が過剰に撓んで変形してしまうことが効果的に防止される。このため、容器寿命を長くすることができる。
【００５９】
また、本実施の形態によっても、上ケース２１１に下ケース１２側に垂れ下がるストッパ３７が形成されているため、上ケースが下ケースから過度にスライドしてしまって内部の錠剤が散乱してしまう、という事態を防止できる。
【００６０】
次に、図１１は、本発明の第３の実施の形態の錠剤取出容器の閉鎖状態を示す概略斜視図であり、図１２は、図１１の錠剤取出容器の開放状態を示す概略斜視図である。図１１及び図１２に示すように、本実施の形態の錠剤取出容器３１０も、互いにスライドする上ケース３１１と下ケース３１２とを備えている。
【００６１】
本実施の形態においては、図１１及び図１２から明らかな通り、上ケース３１１及び下ケース３１２は、平面視で、円形の形状を有している。もっとも、左右対称な楕円形状であってもよい。
【００６２】
そして、当該上ケース３１１及び下ケース３１２が、複数の錠剤を一括に収容可能な容器本体を形成している。そして、第１の実施の形態及び第２の実施の形態と同様に、上ケース３１１が下ケース３１２に対して摺動移動することで、容器本体が開閉するようになっている。
【００６３】
具体的には、図１２に示すように、上ケース３１１が下ケース３１２に対して少しスライド移動した状態で、錠剤取り出しのための取出口３１３が露出するようになっている。取出口３１３は、同時には１個ずつのみ錠剤を取出可能な大きさで形成されている。また、本実施の形態の取出口３１３は、上ケース３１１と下ケース３１２との摺動方向の端部に形成されている。
【００６４】
本実施の形態でも、取出口３１３に連通する部位が取出待機部３１５として機能するようになっている。すなわち、下ケース３１２には、取出口３１３に連通する取出待機部１５が形成されていると言える。そして、上ケース３１１に、容器本体閉鎖時の状態における取出口３１３と取出待機部３１５との間に垂れ下がる係止突起３２３が設けられている。
【００６５】
本実施の形態の係止突起３２３は、上ケース３１１及び下ケース３１２の摺動方向に延びる中心線に対して対称な２カ所に設けられている。各係止突起３２３は、取出口３１３側において高さが増大する傾斜部３２３ｔを有している（後述する図１３参照）。そして、上ケース３１１の開放動作の際に、当該上ケース３１１の撓み変形によって、取出待機部３１５に位置する錠剤の上面を乗り越えると共に、取出待機部３１５に位置していた錠剤に後続する錠剤の取出口側の面を係止するようになっている。換言すれば、上ケース３１１はそのような変形性能（弾性）を有している。
【００６６】
一方、下ケース３１２には、容器本体閉鎖時の状態における取出待機部３１５の係止突起３２３に対して反対の側に、上ケース３１１の開放動作の際に取出待機部３１５に位置する錠剤を取出口３１３に向けて押圧するためのプッシャ部材３２５が設けられている。説明を補足すれば、上ケース３１１の開放動作の際、取出待機部３１５に位置する錠剤は最初、係止突起３２３によって取出口３１３から遠ざかる方向に押圧されるが、その押圧力に対抗するように、すなわち、取出待機部３１５に位置する錠剤を取出口３１３に向けて押圧し返すために、プッシャ部材３２５が設けられている。
【００６７】
本実施の形態のプッシャ部材３２５は、上ケース３１１及び下ケース３１２の摺動方向に延びる中心線上に設けられている。また、図１１及び図１２に示されるように、錠剤を押圧する部位がやや幅広の壁状に形成されている。また、このプッシャ部材３２５は、上ケース３１１側に立ち上がるリブとしての機能も併せ持っている。一方、上ケース３１１には、下ケース３１２側に垂れ下がるストッパ３３７が形成されている。
【００６８】
参考のため、本実施の形態の錠剤取出容器３１０の上ケース３１１の概略斜視図を図１３に示し、本実施の形態の錠剤取出容器３１０の下ケース３１２の概略斜視図を図１４に示しておく。
【００６９】
図１４に示されるように、本実施の形態では、下ケース３１２の取出口３１３の領域において、当該取出口３１３からの錠剤の取り出しをより容易にするべく、錠剤案内スライダ部材３２６が設けられている。
【００７０】
次に、本実施の形態の錠剤取出容器３１０の作用について説明する。
【００７１】
第１の実施の形態及び第２の実施の形態と同様に、錠剤取出容器３１０から１個ずつ錠剤が取り出される際に、下ケース３１２の取出口３１３が下側となるような姿勢で錠剤取出容器３１０が把持される。この際、上ケース３１１及び下ケース３１２が平面視で円形の形状を有しているため、１個の錠剤が取出待機部３１５に至り、後続の錠剤がそれに続く。取出待機部３１５に至った錠剤は、係止突起３２３によって係止される（図１１参照）。
【００７２】
次に、上ケース３１１の開放動作が実施される。すなわち、上ケース３１１が下ケース３１２に対して少しスライド移動される（図１２参照）。その際、取出待機部３１５に位置する錠剤が、係止突起３２３の傾斜部３２３ｔによって取出口３１３から遠ざかる方向に押圧される。しかし、その押圧力に対抗するように、すなわち、取出待機部３１５に位置する錠剤を取出口３１３に向けて押圧し返すために、プッシャ部材３２５が設けられている。このため、取出待機部３１５に位置していた錠剤は、しばらくは動かない。
【００７３】
代わりに、上ケース３１１の方がその変形性能によって撓んで、当該上ケース３１１に設けられている係止突起３２３が取出待機部３１５に位置していた錠剤の上面を乗り越えようとする。そして、係止突起３２３が取出待機部３１５に位置していた錠剤の取出口１３側の端面から外れた瞬間、すなわち、当該錠剤の係止機能を解除した瞬間、プッシャ部材３２５による押圧力によって当該錠剤は取出口３１３に向けて飛び出すように移動する。一方、係止突起３２３は、取出待機部３１５に位置していた錠剤に後続する錠剤の取出口側の面を係止する。この状態が図１２の状態である。
【００７４】
参考のため、図１５（ａ）乃至図１５（ｃ）に、図１１の錠剤取出容器の係止突３２３が錠剤の上面を乗り越える様子を平面視で示しておく。
【００７５】
その後、利用者は、上ケース３１１の下ケース３１２に対するスライド移動状態を、元に戻す（図１１参照）。
【００７６】
以上の通り、本実施の形態によっても、第１の実施の形態及び第２の実施の形態と略同様の作用効果を得ることができる。すなわち、利用者は、（１）取出口３１３が下側となるような姿勢で錠剤取出容器３１０を把持して、（２）上ケース３１１をスライド移動させる、という動作を行うだけで、錠剤を正しく１個だけ取り出すことができる。
【００７７】
また、本実施の形態によれば、上ケース３１１及び下ケース３１２が平面視で円形の形状を有しており、取出口３１３は上ケース３１１と下ケース３１２との摺動方向の端部に形成されているため、錠剤取出容器として一般的な形状であって、利用者の利便性という点で好適である。
【００７８】
更に、本実施の形態によれば、係止突起３２３は、上ケース３１１及び下ケース３１２の摺動方向に延びる中心線に対して対称な２カ所に設けられているため、係止突起３２３がバランス良く錠剤の係止機能ないし係止解除機能を発揮する。このため、錠剤の１個ずつの取出動作を安定的に実現することができる。
【００７９】
更に、本実施の形態によれば、プッシャ部材３２５が、上ケース３１１及び下ケース３１２の摺動方向に延びる中心線上に設けられているため、当該プッシャ部材３２５がバランス良く錠剤の押圧機能を発揮する。このため、錠剤の１個ずつの取出動作を更に安定的に実現することができる。
【００８０】
また、本実施の形態においては、プッシャ部材３２５が上ケース３１１側に立ち上がるリブとしての機能も併せ持つため、上ケース３１１が過剰に撓んで変形してしまうことが効果的に防止される。このため、容器寿命を長くすることができる。
【００８１】
また、本実施の形態においても、上ケース３１１に下ケース３１２側に垂れ下がるストッパ３３７が形成されているため、上ケースが下ケースから過度にスライドしてしまって内部の錠剤が散乱してしまう、という事態を防止できる。
【００８２】
なお、本実施の形態では、取出口３１３が下ケース３１２の上面側に開口する態様を採用すると共に、錠剤案内スライダ部材３２６を設けることで錠剤の取り出しを容易にしているが、第１の実施の形態及び第２の実施の形態と同様に、取出口３１３を下ケース３１２の側面に設けることも可能である。当該態様を採用する場合の図１１及び図１２に対応する図を、図１６及び図１７に示す。このような態様では、容器内部が外気と連通することを防ぐべく、例えば当該図１６及び図１７に示すように、取出口３１３を塞ぐスライド式のカバー部材３４３を設けることが好ましい。
【符号の説明】
【００８３】
１０  錠剤取出容器
１１  上ケース
１２  下ケース
１３  取出口
１５  取出待機部
２３  係止突起
２４  錠剤案内レール
２５  プッシャ部材
２７  リブ
３７  ストッパ
２１０  錠剤取出容器
２１１  上ケース
２２３  係止突起
２２３ｃ  筒部
２２３ｍ  可動係止部
３１０  錠剤取出容器
３１１  上ケース
３１２  下ケース
３２３  係止突起
３２３ｔ  傾斜部
３２５  プッシャ部材
３２６  錠剤案内スライダ部材
３３７  ストッパ
３４３  カバー部材
【図１】
0005950559.tif 000002
【図２】
0005950559.tif 000003
【図３】
0005950559.tif 000004
【図４】
0005950559.tif 000005
【図５】
0005950559.tif 000006
【図６】
0005950559.tif 000007
【図７】
0005950559.tif 000008
【図８】
0005950559.tif 000009
【図９】
0005950559.tif 000010
【図１０】
0005950559.tif 000011
【図１１】
0005950559.tif 000012
【図１２】
0005950559.tif 000013
【図１３】
0005950559.tif 000014
【図１４】
0005950559.tif 000015
【図１５】
0005950559.tif 000016
【図１６】
0005950559.tif 000017
【図１７】
0005950559.tif 000018